【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  記録情報を光学的に記録可能な光学式記録媒体において、
蛇行して形成されたグルーブトラックを有し、前記グルーブトラック上に前記記録情報が記録される第１の領域と、
制御データに対応する第１の位相ピット列が蛇行して配置された第２の領域と、
所定のデータに対応し、第２の領域における位相ピット列とは物理的に異なる構造を有する第２の位相ピット列が蛇行して配置された第３の領域と、を備え、
前記第２の領域における蛇行振幅及び前記第３の領域における蛇行振幅の少なくともいずれか一方は、前記第１の領域における蛇行振幅とは異なることを特徴とする光学式記録媒体。
【請求項２】  前記第２の領域における蛇行振幅及び前記第３の領域における蛇行振幅は、それぞれの領域から抽出されるウォブル信号の出力レベルが前記第１の領域から抽出されるウォブル信号の出力レベルと略同一となるように設定されていることを特徴とする請求項１に記載の光学式記録媒体。
【請求項３】  少なくとも前記第１の領域及び前記第３の領域には、アドレス情報を含むプリピットが前記グルーブトラック及び前記第２の位相ピット列に隣接して形成されていることを特徴とする請求項１又は２に記載の光学式記録媒体。
【請求項４】  前記第２の領域におけるピット深さは、前記第３の領域におけるピット深さと異なることを特徴とする請求項１乃至３のいずれか一に記載の光学式記録媒体。
【請求項５】  前記第１の位相ピット列は、前記制御データの読み出しを可能とし、かつ当該位相ピット列上に上書き記録された他のデータの読み出しを妨げるピット深さを有することを特徴とする請求項１乃至４のいずれか一に記載の光学式記録媒体。
【請求項６】  前記第２の位相ピットは、所定のデータに対応して形成され、前記プリピットの読み出しを可能とし、かつ当該位相ピット列上に上書き記録された他のデータの読み出しを妨げるピット深さを有することを特徴とする請求項１乃至５のいずれか一に記載の光学式記録媒体。
【請求項７】  前記第３の領域におけるピット深さは、前記第１の領域におけるグルーブトラックの深さと同一に設定されることを特徴とする請求項１乃至６のいずれか一に記載の光学式記録媒体。
【請求項８】  前記第３の領域の蛇行振幅は、前記第１の領域の蛇行振幅と同一に設定されていることを特徴とする請求項１乃至６のいずれか一に記載の光学式記録媒体。
【請求項９】  前記第１の領域は、グルーブトラックの深さが２０ｎｍ以上３５ｎｍ以下に設定され、
前記第２の領域は、ピット深さが６０ｎｍ以上９０ｎｍ以下に設定され、
前記第３の領域は、ピット深さが２０ｎｍ以上３５ｎｍ以下に設定されることを特徴とする請求項１乃至６のいずれか一に記載の光学式記録媒体。
【請求項１０】  前記第１の領域は、グルーブトラックの深さが３０ｎｍに設定され、
前記第２の領域は、ピット深さが８０ｎｍ、ピット列の平均デューティが略５０％、蛇行振幅が前記第１の領域の蛇行振幅の略２．７倍にそれぞれ設定され、
前記第３の領域は、ピット深さが３０ｎｍ、ピット列の平均デューティが略８０％、蛇行振幅が前記第１の領域の蛇行振幅の略１．３倍にそれぞれ設定されることを特徴とする請求項１乃至６のいずれか一に記載の光学式記録媒体。
【請求項１１】  前記第１の領域は、グルーブトラックの深さが３０ｎｍに設定され、
前記第２の領域は、ピット深さが８０ｎｍ、ピット列の平均デューティが略５０％、蛇行振幅が前記第１の領域の蛇行振幅の略２．７倍にそれぞれ設定され、
前記第３の領域は、ピット深さが５０ｎｍ、ピット列の平均デューティが略８０％、蛇行振幅が前記第１の領域の蛇行振幅と同一にそれぞれ設定されることを特徴とする請求項１乃至６のいずれか一に記載の光学式記録媒体。
【請求項１２】  記録情報を光学的に記録可能な光学式記録媒体を、光ディスク原盤を用いて製造する光学式記録媒体製造装置において、
グルーブトラックを蛇行させつつ前記光ディスク原盤にカッティングし、前記記録情報が記録される第１の領域を形成する第１の領域形成手段と、
制御データに対応する第１の位相ピット列を前記光ディスク原盤に蛇行させつつカッティングし、第２の領域を形成する第２の領域形成手段と、
所定のデータに対応する第２の位相ピット列を前記光ディスク原盤に蛇行させつつカッティングし、前記第２の領域における位相ピット列とは物理的に異なる構造を有する第２の位相ピット列を備えた第３の領域を形成する第３の領域形成手段と、を備え、
前記第２の領域形成手段及び前記第３の領域形成手段の少なくとも一方は、前記第１の領域における蛇行振幅とは異なる蛇行振幅を有する位相ピット列を形成することを特徴とする光学式記録媒体製造装置。
【請求項１３】  前記第２の領域形成手段及び前記第３の領域形成手段は、前記第２の領域における蛇行振幅及び前記第３の領域における蛇行振幅を、それぞれの領域から抽出されるウォブル信号の出力レベルが前記第１の領域から抽出されるウォブル信号の出カレベルと略同一となるように設定することを特徴とする請求項１２に記載の光学式記録媒体製造装置。
【請求項１４】  前記第１の領域形成手段及び前記第３の領域形成手段は、アドレス情報を含むプリピットを前記グルーブトラック及び前記第２の位相ピット列に隣接して形成することを特徴とする請求項１２又は１３に記載の光学式記録媒体製造装置。
【請求項１５】  前記第２の領域形成手段及び前記第３の領域形成手段は、前記第２の領域におけるピット深さが前記第３の領域におけるピット深さと異なるように前記位相ピット列を形成することを特徴とする請求項１２乃至１４のいずれか一に記載の光学式記録媒体製造装置。
【請求項１６】  前記第１の位相ピット列は、前記制御データの読み出しを可能とし、かつ当該位相ピット列上に上書き記録された他のデータの読み出しを妨げるピット深さを有することを特徴とする請求項１２乃至１５のいずれか一に記載の光学式記録媒体製造装置。
【請求項１７】  前記第２の位相ピット列は、所定のデータに対応して形成され、前記プリピットの読み出しを可能とし、かつ当該位相ピット列上に上書き記録された他のデータの読み出しを妨げるピット深さを有することを特徴とする請求項１２乃至１６のいずれか一に記載の光学式記録媒体製造装置。
【請求項１８】  前記第３の領域におけるピット深さは、前記第１の領域におけるグルーブトラックの深さと同一に設定されることを特徴とする請求項１２乃至１７のいずれか一に記載の光学式記録媒体製造装置。
【請求項１９】  前記第３の領域の蛇行振幅は、前記第１の領域の蛇行振幅と同一に設定されていることを特徴とする請求項１２乃至１７のいずれか一に記載の光学式記録媒体製造装置。
【請求項２０】  前記第１の領域は、グルーブトラックの深さが２０ｎｍ以上３５ｎｍ以下に設定され、
前記第２の領域は、ピット深さが６０ｎｍ以上９０ｎｍ以下に設定され、
前記第３の領域は、ピット深さが２０ｎｍ以上３５ｎｍ以下に設定されることを特徴とする請求項１２乃至１７のいずれか一に記載の光学式記録媒体製造装置。
【請求項２１】  記録情報を光学的に記録可能な光学式記録媒体を、光ディスク原盤を用いて製造する光学式記録媒体製造方法において、
グルーブトラックを蛇行させつつ前記光ディスク原盤にカッティングし、前記記録情報が記録される第１の領域を形成する第１の領域形成工程と、
制御データに対応する第１の位相ピット列を前記光ディスク原盤に蛇行させつつカッティングし、第２の領域を形成する第２の領域形成工程と、
所定のデータに対応する第２の位相ピット列を前記光ディスク原盤に蛇行させつつカッティングし、前記第２の領域における位相ピット列とは物理的に異なる構造を有する第２の位相ピット列を備えた第３の領域を形成する第３の領域形成工程と、を備え、
前記第２の領域形成工程及び前記第３の領域形成工程の少なくとも一方においては、前記第１の領域における蛇行振幅とは異なる蛇行振幅を有する位相ピット列を形成することを特徴とする光学式記録媒体製造方法。
【請求項２２】  前記第２の領域形成工程及び前記第３の領域形成工程においては、前記第２の領域における蛇行振幅及び前記第３の領域における蛇行振幅を、それぞれの領域から抽出されるウォブル信号の出力レベルが前記第１の領域から抽出されるウォブル信号の出カレベルと略同一となるように設定することを特徴とする請求項２１に記載の光学式記録媒体製造方法。
【請求項２３】  前記第１の領域形成工程及び前記第３の領域形成工程においては、アドレス情報を含むプリピットを前記グルーブトラック及び前記第２の位相ピット列に隣接して形成することを特徴とする請求項２１又は２２に記載の光学式記録媒体製造方法。
【請求項２４】  前記第２の領域形成工程及び前記第３の領域形成工程においては、前記第２の領域におけるピット深さが前記第３の領域におけるピット深さと異なるように前記位相ピット列を形成することを特徴とする請求項２１乃至２３のいずれか一に記載の光学式記録媒体製造方法。
【請求項２５】  前記第１の位相ピット列は、前記制御データの読み出しを可能とし、かつ当該位相ピット列上に上書き記録された他のデータの読み出しを妨げるピット深さを有することを特徴とする請求項２１乃至２４のいずれか一に記載の光学式記録媒体製造方法。
【請求項２６】  前記第２の位相ピット列は、所定のデータに対応して形成され、前記プリピットの読み出しを可能とし、かつ当該位相ピット列上に上書き記録された他のデータの読み出しを妨げるピット深さを有することを特徴とする請求項２１乃至２５のいずれか一に記載の光学式記録媒体製造方法。
【請求項２７】  前記第３の領域におけるピット深さは、前記第１の領域におけるグルーブトラックの深さと同一に設定されることを特徴とする請求項２１乃至２６のいずれか一に記載の光学式記録媒体製造方法。
【請求項２８】  前記第３の領域の蛇行振幅は、前記第１の領域の蛇行振幅と同一に設定されていることを特徴とする請求項２１乃至２６のいずれか一に記載の光学式記録媒体製造方法。
【請求項２９】  前記第１の領域は、グルーブトラックの深さが２０ｎｍ以上３５ｎｍ以下に設定され、
前記第２の領域は、ピット深さが６０ｎｍ以上９０ｎｍ以下に設定され、
前記第３の領域は、ピット深さが２０ｎｍ以上３５ｎｍ以下に設定されることを特徴とする請求項２１乃至２６のいずれか一に記載の光学式記録媒体製造方法。
【手続補正２】
【補正対象書類名】明細書
【補正対象項目名】０００７
【補正方法】変更
【補正の内容】
【０００７】
【課題を解決するための手段】
上記の課題を解決するために、請求項１に記載の光学式記録媒体は、記録情報を光学的に記録可能な光学式記録媒体において、蛇行して形成されたグルーブトラックを有し、前記グルーブトラック上に前記記録情報が記録される第１の領域と、制御データに対応する第１の位相ピット列が蛇行して配置された第２の領域と、所定のデータに対応し、第２の領域における位相ピット列とは物理的に異なる構造を有する第２の位相ピット列が蛇行して配置された第３の領域と、を備え、前記第２の領域における蛇行振幅及び前記第３の領域における蛇行振幅の少なくともいずれか一方は、前記第１の領域における蛇行振幅とは異なることを特徴とする。
また、請求項２に記載の光学式記録媒体は、請求項１に記載の光学式記録媒体において、前記第２の領域における蛇行振幅及び前記第３の領域における蛇行振幅は、それぞれの領域から抽出されるウォブル信号の出力レベルが前記第１の領域から抽出されるウォブル信号の出力レベルと略同一となるように設定されていることを特徴とする。
【手続補正３】
【補正対象書類名】明細書
【補正対象項目名】０００８
【補正方法】変更
【補正の内容】
【０００８】
この発明によれば、光学式記録媒体を用いて、第１の領域には記録情報が記録されると共に、第２の領域と第３の領域には、それぞれ複数の位相ピットが形成され、不法複写の防止等の役割を担う。このとき、各領域が蛇行形状を有するので、ウォブル信号を抽出することができる。そして第２の領域と第３の領域ではピット深さが異なる場合であっても、そのウォブリング振幅が適切に設定されているので、基準となる第１の領域の場合と略同一のウォブル信号の出力レベルを得ることができる。よって、光学式記録媒体の異なる領域において常にウォブル信号の出力レベルを一定に保つことができ、高精度な同期制御に利用することができる。
【手続補正４】
【補正対象書類名】明細書
【補正対象項目名】０００９
【補正方法】変更
【補正の内容】
【０００９】
請求項３に記載の光学式記録媒体は、請求項１又は２に記載の光学式記録媒体において、アドレス情報を含むプリピットが前記グルーブトラック及び前記第２の位相ピット列に隣接して形成されていることを特徴とする。
【手続補正５】
【補正対象書類名】明細書
【補正対象項目名】００１１
【補正方法】変更
【補正の内容】
【００１１】
請求項７に記載の光学式記録媒体は、請求項１乃至６のいずれか一に記載の光学式記録媒体において、前記第３の領域におけるピット深さは、前記第１の領域におけるグルーブトラックの深さと同一に設定されることを特徴とする。
【手続補正６】
【補正対象書類名】明細書
【補正対象項目名】００１２
【補正方法】変更
【補正の内容】
【００１２】
この発明によれば、請求項１乃至６に記載の発明と同様の作用に加えて、第１の領域のグルーブトラックの深さと第３の領域のピット深さが同一になっている。よって、第１の領域と第３の領域は、互いの蛇行振幅のみを変えるだけで、上述のようにウォブル信号の出力レベルを同一に保つことができる。
【手続補正７】
【補正対象書類名】明細書
【補正対象項目名】００１３
【補正方法】変更
【補正の内容】
【００１３】
請求項１０に記載の光学式記録媒体は、請求項１乃至６のいずれか一に記載の光学式記録媒体において、前記第１の領域は、グルーブトラックの深さが３０ｎｍに設定され、前記第２の領域は、ピット深さが８０ｎｍ、ピット列の平均デューティが略５０％、蛇行振幅が前記第１の領域の蛇行振幅の略２．７倍にそれぞれ設定され、前記第３の領域は、ピット深さが３０ｎｍ、ピット列の平均デューティが略８０％、蛇行振幅が前記第１の領域の蛇行振幅の略１．３倍にそれぞれ設定されることを特徴とする。
【手続補正８】
【補正対象書類名】明細書
【補正対象項目名】００１４
【補正方法】変更
【補正の内容】
【００１４】
この発明によれば、請求項１乃至６に記載の発明に対し、具体的な条件が与えられている。よって、特にＤＶＤ−ＲＷを用いて構成する場合に好適な設計条件を与えることができる。
【手続補正９】
【補正対象書類名】明細書
【補正対象項目名】００１５
【補正方法】変更
【補正の内容】
【００１５】
請求項８に記載の光学式記録媒体は、請求項１乃至６のいずれか一に記載の光学式記録媒体において、前記第３の領域の蛇行振幅は、前記第１の領域の蛇行振幅と同一に設定されていることを特徴とする。
【手続補正１０】
【補正対象書類名】明細書
【補正対象項目名】００１６
【補正方法】変更
【補正の内容】
【００１６】
この発明によれば、請求項１乃至６に記載の発明と同様の作用に加えて、第１の領域の蛇行振幅と第３の領域の蛇行振幅が同一になっている。よって、第１の領域のグルーブトラックの深さと第３の領域のピット深さを変えるだけで、上述のようにウォブル信号の出力レベルを同一に保つことができる。
【手続補正１１】
【補正対象書類名】明細書
【補正対象項目名】００１７
【補正方法】変更
【補正の内容】
【００１７】
請求項１１に記載の光学式記録媒体は、請求項１乃至６のいずれか一に記載の光学式記録媒体において、前記第１の領域は、グルーブトラックの深さが３０ｎｍに設定され、前記第２の領域は、ピット深さが８０ｎｍ、ピット列の平均デューティが略５０％、蛇行振幅が前記第１の領域の蛇行振幅の略２．７倍にそれぞれ設定され、前記第３の領域は、ピット深さが５０ｎｍ、ピット列の平均デューティが略８０％、蛇行振幅が前記第１の領域の蛇行振幅と同一にそれぞれ設定されることを特徴とする。
【手続補正１２】
【補正対象書類名】明細書
【補正対象項目名】００１８
【補正方法】変更
【補正の内容】
【００１８】
この発明によれば、請求項１乃至６に記載の発明に対し、具体的な条件が与えられている。よって、特にＤＶＤ−ＲＷを用いて構成する場合に好適な設計条件を与えることができる。
【手続補正１３】
【補正対象書類名】明細書
【補正対象項目名】００１９
【補正方法】変更
【補正の内容】
【００１９】
請求項１２に記載の光学式記録媒体製造装置は、記録情報を光学的に記録可能な光学式記録媒体を、光ディスク原盤を用いて製造する光学式記録媒体製造装置において、グルーブトラックを蛇行させつつ前記光ディスク原盤にカッティングし、前記記録情報が記録される第１の領域を形成する第１の領域形成手段と、制御データに対応する第１の位相ピット列を前記光ディスク原盤に蛇行させつつカッティングし、第２の領域を形成する第２の領域形成手段と、所定のデータに対応する第２の位相ピット列を前記光ディスク原盤に蛇行させつつカッティングし、前記第２の領域における位相ピット列とは物理的に異なる構造を有する第２の位相ピット列を備えた第３の領域を形成する第３の領域形成手段と、を備え、前記第２の領域形成手段及び前記第３の領域形成手段の少なくとも一方は、前記第１の領域における蛇行振幅とは異なる蛇行振幅を有する位相ピット列を形成することを特徴とする。
また、請求項１３に記載の光学式記録媒体製造装置は、請求項１２に記載の光学式記録媒体製造装置において、前記第２の領域形成手段及び前記第３の領域形成手段は、前記第２の領域における蛇行振幅及び前記第３の領域における蛇行振幅を、それぞれの領域から抽出されるウォブル信号の出力レベルが前記第１の領域から抽出されるウォブル信号の出カレベルと略同一となるように設定することを特徴とする。
【手続補正１４】
【補正対象書類名】明細書
【補正対象項目名】００２０
【補正方法】変更
【補正の内容】
【００２０】
請求項２１に記載の光学式記録媒体製造方法は、記録情報を光学的に記録可能な光学式記録媒体を、光ディスク原盤を用いて製造する光学式記録媒体製造装置において、グルーブトラックを蛇行させつつ前記光ディスク原盤にカッティングし、前記記録情報が記録される第１の領域を形成する第１の領域形成工程と、制御データに対応する第１の位相ピット列を前記光ディスク原盤に蛇行させつつカッティングし、第２の領域を形成する第２の領域形成工程と、所定のデータに対応する第２の位相ピット列を前記光ディスク原盤に蛇行させつつカッティングし、前記第２の領域における位相ピット列とは物理的に異なる構造を有する第２の位相ピット列を備えた第３の領域を形成する第３の領域形成工程と、を備え、前記第２の領域形成工程及び前記第３の領域形成工程の少なくとも一方は、前記第１の領域における蛇行振幅とは異なる蛇行振幅を有する位相ピット列を形成することを特徴とする。
また、請求項２２に記載の光学式記録媒体製造方法は、請求項２１に記載の光学式記録媒体製造方法において、前記第２の領域形成工程及び前記第３の領域形成工程においては、前記第２の領域における蛇行振幅及び前記第３の領域における蛇行振幅を、それぞれの領域から抽出されるウォブル信号の出力レベルが前記第１の領域から抽出されるウォブル信号の出カレベルと略同一となるように設定することを特徴とする。
【手続補正１５】
【補正対象書類名】明細書
【補正対象項目名】００２１
【補正方法】変更
【補正の内容】
【００２１】
請求項１２又は１３と請求項２１又は２２にそれぞれ記載の発明によれば、光学式記録媒体の製造に用いる光ディスク原盤に対し、グルーブトラックがカッティングされた第１の領域、複数の位相ピットが設けられた第２の領域及び第３の領域を形成する。このとき、各領域の形成に用いる光ビームのウォブル信号で変調するので、それぞれに蛇行パターンが形成される。そして、第２の領域と第３の領域ではカッティングするピット深さが異なる場合であっても、上記変調の度合が適切に設定されているので、基準となる第１の領域の場合と略同一の蛇行振幅で形成することできる。よって、スタンパを用いて製造された光学式記録媒体は、異なる領域において常にウォブル信号の出力レベルを一定に保つことができ、高精度な同期制御を行うことができる。
【手続補正１６】
【補正対象書類名】明細書
【補正対象項目名】００２２
【補正方法】変更
【補正の内容】
【００２２】
請求項１４に記載の光学式記録媒体製造装置は、請求項１２又は１３に記載の光学式記録媒体製造装置において、前記第１の領域形成手段及び前記第３の領域形成手段は、アドレス情報を含むプリピットを前記グルーブトラック及び前記第２の位相ピット列に隣接して形成することを特徴とする。
【手続補正１７】
【補正対象書類名】明細書
【補正対象項目名】００２３
【補正方法】変更
【補正の内容】
【００２３】
請求項２３に記載の光学式記録媒体製造装置は、請求項２１又は２２に記載の光学式記録媒体製造方法において、前記第１の領域形成工程及び前記第３の領域形成工程では、アドレス情報を含むプリピットを前記グルーブトラック及び前記第２の位相ピット列に隣接して形成することを特徴とする。
【手続補正１８】
【補正対象書類名】明細書
【補正対象項目名】００２４
【補正方法】変更
【補正の内容】
【００２４】
請求項１４と請求項２３にそれぞれ記載の発明によれば、請求項１２又は１３と請求項２１又は２２にそれぞれ記載の発明と同様の作用に加えて、プリピットが第１及び第３の領域において形成される。よって、プリピットの有無に応じて、第２の領域と第３の領域の位相ピットを、互いに異なるピット深さで形成する場合であっても、上述のようにスタンパを用いて製造された光学式記録媒体は、異なる領域において常にウォブル信号の出力レベルを一定に保つことができる。
【手続補正１９】
【補正対象書類名】明細書
【補正対象項目名】００７７
【補正方法】変更
【補正の内容】
【００７７】
次に、不可能領域ＵＡにおける位相ピットＰＩ’のピット列によるウォブリング振幅に適合するように、ウォブルゲインを設定する（ステップＳ２３）。また、不可能領域ＵＡにおける位相ピットＰＩ’の深さに適合するように、レーザパワーを設定する（ステップＳ２４）。なお、不可能領域ＵＡにおけるウォブリング振幅と位相ピットＰＩ’の深さの具体的な設定については後述する。